(57)【特許請求の範囲】
【請求項１】
ボックス形状のステップハウジングと、
前記ステップハウジングの両側面に装着されたガイドレールと、
前記ガイドレールに沿って移動可能に前記ガイドレールに結合されたステップレールと、
前記ステップレールに結合され、前記ステップレールにより前記ガイドレールに沿って移動して、前記ステップハウジングの内部に収納されたり、外部に突出する踏み台と、
を含み、
前記ガイドレールは、上部壁と一側壁及び下部壁が一体に連続して連結され、前記一側壁と対向する他側が開口されて、長さ方向に沿って連続したチャンネルを形成し、
前記ガイドレールの下部壁の高さ方向に沿った上面には、高さ方向に隆起するように形成されて、ガイドローラが設けられてローリング移動する下部ガイド突出部が形成され、
前記下部ガイド突出部を中心として、前記チャンネルの内側には排水路が形成され、
前記チャンネルの外側には排水面が形成され、
前記排水路には、貫く一つ以上の排水口が形成され、
前記排水路は凹状に形成され、
前記排水面は、前記チャンネルの外側に下方に傾くように形成され、
ことを特徴とする、ステップ装置。
【請求項２】
前記ステップハウジングは、互いに対向する両側面が開口された四角ボックス形状に形成されることを特徴とする、請求項１に記載のステップ装置。
【請求項３】
前記ステップハウジングは、「¬」字形状のマウンティングブラケットを媒介として、車体に固定されるように装着されることを特徴とする、請求項１に記載のステップ装置。
【請求項４】
前記ステップハウジングの上面にはホールが形成され、前記ホールを通して電源線が挿入されて、前記ステップハウジングの内部に外部電源が供給されることを特徴とする、請求項１に記載のステップ装置。
【請求項５】
前記チャンネルの中に前記ステップレールが挿入されてガイドされることを特徴とする、請求項１に記載のステップ装置。
【請求項６】
前記下部壁の上面と対向する前記上部壁の下面には、前記ガイドローラが密着してローリング移動するガイド面が形成されることを特徴とする、請求項５に記載のステップ装置。
【請求項７】
前記上部壁の下面には、前記ガイド面に対して段差を有する段差部が形成され、
前記ガイドローラには、前記段差部とガイド段差部の側面に係止されて、幅方向の移動が規制される拡張フランジが備わることを特徴とする、請求項６に記載のステップ装置。
【請求項８】
前記ステップレールは、幅より長さが長い四角ボックス形状に形成され、
前記ステップレールの高さ方向に沿った上面及び下面には、その長さ方向に沿って、所定間隔を置いて一つ以上の組立孔が貫いて形成され、
前記組立孔にガイドローラが挿入されて、組立ピンにより回転可能に締結されることを特徴とする、請求項１に記載のステップ装置。
【請求項９】
前記組立ピンの外周にはブッシュが嵌合されて組み立てられることを特徴とする、請求項８に記載のステップ装置。
【請求項１０】
前記ステップレールには、その長さ方向に沿って、複数の締結孔が所定間隔を置いて形成され、
前記複数の締結孔は、前記ステップレールの両側側面に形成され、
前記各締結孔に締結ピンが挿入されて、前記踏み台と一体に固定されるように締結されることを特徴とする、請求項８に記載のステップ装置。
【請求項１１】
前記踏み台は四角プレート形状に形成され、
前記踏み台の長さ方向に沿って、所定間隔を置いて複数の補強リブが一側面から突出するように形成されることを特徴とする、請求項１０に記載のステップ装置。
【請求項１２】
前記複数の補強リブのうちの一部には、円弧形状の断面を有する組立ボスが一体に形成され、
前記ステップレールを貫いた前記複数の締結ピンが、前記組立ボスに挿入されて締結されることを特徴とする、請求項１１に記載のステップ装置。
【請求項１３】
前記ステップレールの長さ方向に沿った一側先端部には、前記ステップレールの内部を密閉するプラグが、前記ステップレールに嵌合される形態に結合されることを特徴とする、請求項１に記載のステップ装置。
【請求項１４】
前記ガイドローラ、前記ステップレール、及び前記組立ピンは、全て前記ガイドレールの内部に配置されることを特徴とする、請求項８に記載のステップ装置。
【発明の詳細な説明】
【技術分野】
【０００１】
本発明は、ステップ装置に係わり、より詳しくは、車両に有用に使用され、かつ電動モータにより駆動されるステップ装置に関する。
【背景技術】
【０００２】
従来、乗合車あるいは多目的車両（ＳＵＶなど）のように地上高が高い車両には、搭乗者が容易に乗下車することができるようにステップ装置が備えられている。
【０００３】
このようなステップ装置は、搭乗者が車両に搭乗または下車する時、足で踏むようにして、搭乗者の乗下車に役に立つようになる。
【０００４】
このような従来のステップ装置は、車体に固定されるように装着された固定式があり、該固定式ステップ装置は、踏み台が車体から車両の幅方向に突出し、長さ方向に延長されるように車体に固定されるように設置されるので、車両の外観美を低下させるなどの欠点があった。
【０００５】
このような固定式ステップ装置の問題点を解消するために、必要に応じて車両の内部に収納されたり、車両の外部に突出するようにする移動式、または出没式ステップ装置が開発されていた。
【０００６】
上記移動式ステップ装置は、通常、モータのような駆動源を使用して、必要な場合に踏み台を車両の外部に突出するようにして、搭乗者の乗下車が容易になるようにし、必要でない場合には、車両の内部に収納されるようにして、車両の外観美などを向上させる。
【０００７】
このような従来の移動式ステップ装置は、車体に固定されるように装着されたステップハウジング、該ステップハウジングの内部に収納されたり、外部に突出するように移動可能に設置された踏み台、前記踏み台を移動させる駆動源としての電動モータ、及び前記電動モータの作動力が前記踏み台に伝達されるようにして、前記踏み台の移動を助ける回転ローラとステップレールなどを備えたガイド機構などを含んでいる。
【０００８】
ところが、従来の移動式ステップ装置においては、前記回転ローラが前記ステップレールにカンチレバー形態に設置されて、耐久性が良好でなく、前記ステップハウジングの外部に前記ステップレールが離隔するように配置されていて、レイアウトの側面で不利である。また、前記ステップハウジングと前記ステップレールの間の離隔空間を通して外部異物が侵入して、踏み台の移動不能あるいは円滑でない作動を招くなどの欠点があった。
【発明の概要】
【発明が解決しようとする課題】
【０００９】
本発明は、上記の問題点に鑑みてなされたものであって、本発明の目的は、耐久性に優れ、外部異物の侵入を効果的に防止して、円滑な作動を図ることができ、車両に適用すれば、搭乗者の便利な乗下車を可能にするステップ装置を提供することにある。
【課題を解決するための手段】
【００１０】
上記課題を解決するために、本発明の実施形態によるステップ装置は、ボックス形状のステップハウジングと、前記ステップハウジングの両側面に装着されたガイドレールと、前記ガイドレールに沿って移動可能に前記ガイドレールに結合されたステップレールと、前記ステップレールに結合され、前記ステップレールにより前記ガイドレールに沿って移動して、前記ステップハウジングの内部に収納されたり外部に突出する踏み台とを含むことができる。
【００１１】
前記ステップハウジングは、互いに対向する両側面が開口された四角ボックス形状に形成されることができる。
【００１２】
前記ステップハウジングは、「¬」字形状のマウンティングブラケットを媒介として、前記車体に固定されるように装着されることができる。
【００１３】
前記ステップハウジングの上面にはホールが形成され、前記ホールを通して電源線が挿入されて、前記ステップハウジングの内部に外部電源を供給することができる。
【００１４】
前記ガイドレールは、上部壁と一側壁及び下部壁が一体に連続するように連結され、前記一側壁と対向する他側が開口されて、長さ方向に沿って連続したチャンネルを形成し、前記チャンネルの中に前記ステップレールが挿入されてガイドされることができる。
【００１５】
前記ガイドレールの下部壁の高さ方向に沿った上面には、高さ方向に隆起するように形成されて、前記ガイドローラが設けられてローリング移動する下部ガイド突出部が形成され、前記下部壁の上面と対向する前記上部壁の下面には、前記ガイドローラが密着してローリング移動するガイド面が形成されることができる。
【００１６】
前記下部ガイド突出部を中心として、前記チャンネルの内側には排水路が形成され、前記チャンネルの外側には排水面が形成され、前記排水路には貫く一つ以上の排水口が形成されることができる。
【００１７】
前記排水路は凹状に形成され、前記排水面は前記チャンネルの外側に下方に傾いて形成されることができる。
【００１８】
前記上部壁の下面には、前記ガイド面に対して段差を有する段差部が形成され、前記ガイドローラには、前記段差部と前記ガイド段差部の側面に係止されて、幅方向の移動が規制される拡張フランジが備わることができる。
【００１９】
前記ステップレールは、幅より長さの長い四角ボックス形状に形成され、前記ステップレールの高さ方向に沿った上面及び下面には、その長さ方向に沿って、所定間隔を置いて一つ以上の組立孔が貫いて形成され、前記組立孔に前記ガイドローラが挿入されて、組立ピンにより回転可能に締結されることができる。
【００２０】
前記組立ピンの外周にはブッシュが嵌合されて組み立てられる。
【００２１】
前記ステップレールには、その長さ方向に沿って、複数の締結孔が所定間隔を置いて形成され、前記複数の締結孔は、前記ステップレールの両側側面に形成され、前記各締結孔に締結ピンが挿入されて前記踏み台と一体に固定されるように締結されることができる。
【００２２】
前記踏み台は四角プレート形状に形成され、前記踏み台の長さ方向に沿って、所定間隔を置いて複数の補強リブが一側面から突出するように形成されることができる。
【００２３】
前記複数の補強リブのうちの一部には、円弧形状の断面を有する組立ボスが一体に形成され、前記ステップレールを貫いた前記複数の締結ピンが、前記組立ボスに挿入されて締結されることができる。
【００２４】
前記ステップレールの長さ方向に沿った一側先端部には、前記ステップレールの内部を密閉するプラグが前記ステップレールに嵌合される形態に結合されることができる。
【００２５】
前記ガイドローラと前記ステップレール及び前記組立ピンは、全て前記ガイドレールの内部に配置されることができる。
【００２６】
前記ガイドローラと電動モータを媒介として回転することができる。
【発明の効果】
【００２７】
本発明の実施形態によるステップ装置によれば、ステップハウジングのガイドレールの内部にガイドローラとステップレールが収納されて、コンパクトな構造を有することにより、レイアウトが有利になる。
【００２８】
前記ガイドローラがステップレールの内部に挿入されて、幅方向に沿ったその内側面及び外側面がステップレールによって支持されるので、耐久性を向上させることができる。
【００２９】
ガイドローラをステップレールに締結する締結ピン及びガイドローラが、ガイドレールの内部に位置することにより、ガイドローラが外部異物の侵入のために円滑に作動しないおそれがなく、酷寒基にもガイドローラが水分の侵入により結氷して作動しないおそれがなくなる。
【００３０】
ステップレールの長さ方向に沿った一側先端部にはプラグが装着されて、ステップレールの内部と外部を遮断することにより、ステップ内部への異物侵入を効果的に防止し、外観美も向上させることができる。
【図面の簡単な説明】
【００３１】
【図１】本発明の実施形態によるステップ装置の斜視図である。
【図２】本発明の実施形態によるステップ装置の一部分解斜視図である。
【図３】図１のＡ−Ａ線に沿った断面図である。
【図４】本発明の実施形態によるガイドレールの断面図である。
【図５】本発明の実施形態によるガイドレールの一部切開斜視図である。
【図６】本発明の実施形態によるガイドレールにガイドローラが設けられた状態の下部断面図である。
【発明を実施するための形態】
【００３２】
以下、本発明の実施形態について、添付された例示図面に基づいてさらに詳細に説明する。
【００３３】
図１を参照すれば、本発明の実施形態によるステップ装置は、ほぼ四角ボックス形状をしたステップハウジング１０と、このステップハウジングの開口された両側面に装着されて、互いに対向するように配置された２つのガイドレール２０と、前記ステップハウジング１０の内部に収納されたり、外部（車両の幅方向の外側）に突出するように、移動可能に設置された踏み台３０と、前記踏み台３０の両側面に結合し、前記２つのガイドレール２０にそれぞれ結合して、前記２つのガイドレール２０に沿った前記踏み台３０の移動をガイドするステップレール４０とを含むことができる。
【００３４】
前記ステップハウジング１０は、ほぼ「¬」字形状のマウンティングブラケット５０を媒介として、例えば、車体に固定されるように装着できる。
【００３５】
前記ステップハウジング１０の内部には図示していない電動モータが内蔵されてもよく、前記ステップハウジング１０の上面にはホールが形成され、前記ホールを通して電源線６０が挿入されて、前記ステップハウジング１０の内部に設けられた電動モータに、前記電源線６０を通じて外部電源を供給することができる。
【００３６】
図２を参照すれば、前記ガイドレール２０は、上部壁２１と一側壁２２及び下部壁２３が一体に連続するように連結され、前記一側壁と対向する他側が開口された、ほぼ「Ｃ」字形状の断面を有するチャンネル２４形状に形成されることができる。
【００３７】
前記上部壁２１と一部壁２２には、前記ステップハウジング１０とボルトなどを締結するための複数の締結孔２５が形成され、下部壁２３には、貫く排水口２６が、長さ方向に沿って、所定間隔を置いて複数に形成されることができる。
【００３８】
図４及び図５を参照すれば、前記ガイドレール２０の下部壁２３の高さ方向に沿った上面には、高さ方向に隆起したほぼ四角形状の下部ガイド突出部２３２が形成されることができる。
【００３９】
前記下部ガイド突出部２３２の平らな上面２３２ａに、ガイドローラ７０が設けられてローリング移動することができる。
【００４０】
前記下部ガイド突出部２３２を中心にチャンネルの内側には排水路２７が形成されると同時に、チャンネル２４の外側には排水面２８が形成されることができる。
【００４１】
前記排水路２７は、水分などの異物がたまるように凹状に形成され、排水面２８はチャンネル２４の外側に下側に傾くように形成されることができる。
【００４２】
前記排水口２６は排水路２７に形成されて、排水路２７にたまっている水分や異物を、矢印に示されているように、チャンネルの外部に排出させる役割を果たし、また、前記排水面２８も、チャンネルの内部に流入した水分のような異物を、その自重を利用してチャンネルの外部に排出させる役割を果たすことができる。
【００４３】
前記下部壁２３の上面と対向する前記上部壁２１の下面には、ガイドローラ７０が密着してローリング移動するほぼ平らなガイド面２１２と、このガイド面２１２に対して段差を有する段差部２１４が形成されることができる。
【００４４】
前記ステップレール４０は、幅より長さが長いほぼ四角ボックス形状に形成されることができる。
【００４５】
前記ステップレール４０の高さ方向に沿った上面４２及び下面には、その長さ方向に沿って、所定間隔を置いて２つの組立孔４２２が貫いて形成されることができる。
【００４６】
前記組立孔４２２には前記ガイドローラ７０が挿入されて、組立ピン７２を媒介としてステップレール４０に回転可能に締結されることができる。
【００４７】
前記組立ピン７２の外周にはブッシュ７４が嵌合されて、ガイドローラ７０の回転を円滑にすることができる。
【００４８】
前記ステップレール４０には、その長さ方向に沿って、複数の締結孔が所定間隔を置いて形成されることができる。前記複数の締結孔は、ステップレール４０の両側側面に形成され、各締結孔に締結ピン４４が挿入されて、前記踏み台３０と一体に固定されるように締結されることができる。
【００４９】
前記踏み台３０は四角プレート形状に形成されてもよく、前記踏み台３０の長さ方向に沿って、所定間隔を置いて複数の補強リブ３２が一側面から突出するように形成されることができる。
【００５０】
前記複数の補強リブ３２のうちの一部には、ほぼ円弧形状の断面を有する組立ボス３４が一体に形成され、前記ステップレール４０を貫いた複数の締結ピン４４が前記組立ボス３４に挿入されて締結されることによって、ステップレール４０と踏み台３０が互いに締結される。
【００５１】
前記ステップレール４０の長さ方向に沿った一側先端部には、すなわち、車両の幅方向に沿った外側に位置する外側先端部には、プラグ８０がステップレール４０に嵌合される形態に結合されることができる。
【００５２】
前記プラグ８０は、ステップレール４０の開口された先端部を密閉して、ステップレール４０の内部に外部異物が侵入することを防止し、ステップレール４０が外部に突出したときの外観美を向上させる役割を果たす。
【００５３】
図３を参照すれば、前記ガイドローラ７０がステップ４０の内部に挿入されて、組立ピン７２によりステップレール４０に締結されると、組立ピン７２がガイドローラ７０の両側面を貫くようになって、ガイドローラ７０は、矢印に示されているように、その両側で荷重支持構造により支持されることによって、耐久性が向上する。
【００５４】
また、ガイドローラ７０、ステップレール４０、及びその組立ピン７２が、全てガイドレール２０のチャンネル２４の内部に配置される構造になるので、外部異物がチャンネル２４の内部に侵入して、ガイドローラ７０と組立ピン７２の摺動部位を結氷させるか、またはガイドローラ７０のローリング運動を阻害するおそれがなく、レイアウトも有利になる。
【００５５】
図３及び図６に示したように、ガイドローラ７０には直径方向の外側に拡張されたフランジ７６が形成され、このフランジ７６は、ガイドレール２０の段差部２１４とガイド段差部２３２に係止されて、組立ピン７２の軸方向にガイドローラ７０、ステップレール４０、及び踏み台３０の移動が規制されることによって、踏み台３０の安定して円滑な伸張（車両の幅方向の外側に突出）及び収縮（ステップハウジングの内部に収納）運動が円滑に行われる。
【００５６】
以上、本発明は、限定された実施形態と図面を通じて説明されたが、本発明はこれに限定されない。本発明が属する技術分野における通常の知識を有する者であれば、本発明の技術思想と特許請求の範囲の均等範囲内で多様な修正及び変形が可能である。
【符号の説明】
【００５７】
１０  ステップハウジング
２０  ガイドレール
３０  踏み台
４０  ステップレール
５０  マウンティングブラケット
６０  電源線
７０  ガイドローラ
８０  プラグ
【図１】
0006573797.tif 000002
【図２】
0006573797.tif 000003
【図３】
0006573797.tif 000004
【図４】
0006573797.tif 000005
【図５】
0006573797.tif 000006
【図６】
0006573797.tif 000007